(57)【要約】【課題】電力における省エネルギーにおいて、その効果を大きくするために、部屋や建物の単位で不使用時の電気機器の待機電力まとめて遮断するとともに、それが行動として容易にできやすい環境にすることにより、節電の習慣化を促進する。【解決手段】本発明は配電盤からコンセントまでの間にスイッチを設けたコンセント部を、通常のコンセントに組み合わせ、一体化させることにより簡素で違和感のない構造とし、配電盤とコンセントまでの間にスイッチを設けた電気回路でコンセント部に差し込んだ電気機器について部屋や建物などの空間単位で不使用時に待機電力をまとめて遮断し節電することを主要な特徴とする待機電力省エネルギー用スイッチ付きコンセント。【選択図】図１
2006020488.tif 000002
【特許請求の範囲】
【請求項１】
配電盤とコンセントとの間に部屋単位などの空間単位で不必要な待機電力を一括して遮断する待機電力開閉スイッチを設けた電気回路において、待機電力遮断コンセント部を通常コンセント部と組合せて一体化したことを特徴とする待機電力遮断部付コンセント。
【請求項２】
配電盤とコンセントとの間に部屋単位などの空間単位で不必要な待機電力を一括して遮断する待機電力開閉スイッチを設けた電気回路において、待機電力遮断スイッチ部を通常のスイッチ部と組合せて一体化したことを特徴とする請求項１に記載の待機電力遮断スイッチ。
【請求項３】
前記待機電力遮断コンセント部と通常コンセント部に高低差を設けて待機電力遮断コンセント部を識別しやすくしたことを特徴とする請求項１又は請求項２に記載の待機電力遮断部付コンセント。
【請求項４】
文字、マーク、色調などによって、前記待機電力遮断コンセント部を通常コンセント部と差別化したことを特徴とする請求項１ないし請求項３のいずれかに記載の待機電力遮断部付コンセント。
【請求項５】
前記待機電力遮断コンセント部の電気プラグ刃受穴を、片側Ｌ字型、片側長尺平板形、円柱状等としたことを特徴とする請求項１ないし請求項４のいずれかに記載の待機電力遮断部付コンセント。
【請求項６】
文字、マーク、色調、開閉方向を異にすることによって、前記待機電力遮断スイッチ部を通常のスイッチ部と差別化したことを特徴とする請求項１ないし請求項４のいずれかに記載の待機電力遮断スイッチ。
【請求項７】
前記請求項１ないし６のいずれかに記載の待機電力遮断部付コンセント及び待機電力遮断スイッチにより構成される電気回路によって、待機電力を不必要な場合に遮断して省電力をはかることを特徴とする待機電力遮断方法。
【発明の詳細な説明】
【技術分野】
【０００１】
本発明は、人の行動する空間の単位で不必要な電気機器の配線を遮断して、それにより待機電力を低減することにより省エネルギーに寄与する電気回路を構成する待機電力遮断部付コンセント及びそのスイッチに関するものである。
【背景技術】
【０００２】
従来より、待機電力を低減するための装置や配線に関して、コンセント自体に開閉機が内蔵されており、省エネルギー操作用スイッチにて、省エネ操作の信号を送り、伝送ユニットで情報を識別し、対応したコンセントの内蔵開閉器をオフ状態にし、当該コンセントに接続された電気機器の通電を遮断するものがあった（例えば、特許文献１参照）。
【０００３】
また、配電盤からの配線により繋がった室内のスイッチを設けることにより、室内単位でコンセントに繋がれた電気機器の通電を制御する配線方法（例えば、特許文献２参照）。各コンセントに対して１対１で通電の遮断を行えるスイッチのついた電源タップ（例えば、非特許文献３参照）。通常のコンセントに別途取り付ける通電遮断可能なタイプのコンセントなどがあった（例えば、非特許文献４参照）。
【特許文献１】特開２０００−１３４８２７
【特許文献２】特開２００２−３１５１３６
【非特許文献３】実願２０００−４３５４
【非特許文献４】実登３０５２３７４号
【発明の開示】
【発明が解決しようとする課題】
【０００４】
複雑化する電気機器と、人間の行動レベルまで考察した場合、いままでの発明及び考案の待機電力の低減効果が必ずしも高いとはいえない。それは、電気機器毎の待機電力を使用都度意識し、遮断するという煩わしさのための遮断機能の不使用、待機電力節減に関する機器が美感上、机の下など使いにくい場所に配置されることが多く、その遮断機能を十分に果たせない。また、使用する部屋や電気機器の状況により相当個数の購入の必要があり、加えて待機電力節電機能の使用・不使用に関する行動面からの煩わしさから、習慣化するに至らないという問題点があった。
【課題を解決するための手段】
【０００５】
本発明である待機電力省エネルギー用電気回路は、待機電力遮断コンセント部２ａ、通常コンセント部２ｂを一体化した待機電力遮断部付コンセント１、待機電力開閉スイッチ６ａから構成されており、使用する電気機器の性質に応じてその電源プラグを、予め待機電力遮断コンセント部２ａか通常コンセント部２ｂのいずれかに分類して差し込むことを行い、部屋や建物など使用する空間の単位で、待機電力の不必要な電気機器の通電をまとめて遮断することを特徴とする。
【０００６】
通常コンセント部２ｂは配電盤８より、通常配線５により直接配線されて常時通電されているが、待機電力遮断コンセント部２ａは配電盤８からの待機電力遮断配線４の途中に待機電力開閉スイッチ６ａを設け、これにより待機電力遮断コンセント部２ａに接続された電気機器の電源を、不必要時にはまとめて遮断する（図４）。
【０００７】
待機電力遮断コンセント部２ａと通常コンセント部２ｂは、各々１体のコンセント１個又は複数個を縦方向又は横方向に配置して待機電力遮断部付コンセント１を構成し、必要に応じてそれぞれ文字、マーク、色調、又は図８に示す一点鎖線の如く、お互いの設置高さに高低を設けて、両コンセント部の識別を明確にする（図１、図８）。
【０００８】
また、待機電力遮断用電気プラグ又は通常の電気プラグの待機電力遮断コンセント部２ａ、通常コンセント部２ｂへの誤接続を確実に防止するため、通常の電気プラグの刃は平板形等幅であるが、待機電力遮断コンセント部２ａと待機電力遮断用電気プラグの刃及び待機電力遮断コンセント部プラグ刃受穴１８を刃の幅の異なる物（図９）、刃の形状の異なる物（図１０）、刃が円柱状の物（図１１）等として構成しても良い（図９、図１０、図１１）。
【０００９】
人間の使用空間である部屋、オフィス又は建物等の空間単位で、配電盤８からのコンセントへの配線途中に遮断スイッチが必要な場合は、特別な場合を除いて、照明スイッチ６ｂがある。該照明スイッチ６ｂと本発明である待機電力開閉スイッチ６ａの設置場所は、各々近接した異なる場所に設ける。又は照明スイッチ６ｂと待機電力開閉スイッチ６ａと一体型として、待機電力照明開閉操作一体型スイッチ盤１２にて各々の異なる開閉方向としても良い（図７）。
【発明の効果】
【００１０】
部屋や建物などの使用する空間単位で、通電遮断コンセントへ差し込んだ不必要な待機電力を一括で遮断することができ、電気機器全般に影響することから、使用電力全体における待機電力低減効果が大きい。
【００１１】
部屋の照明スイッチを開閉する感覚で待機電力開閉スイッチを開閉できることから、手軽に待機電力の低減を行うことができるため、習慣化しやすい。つまり各電気機器の特長と待機電力を確認する習慣又は通常通電と待機電力遮断型通電を分類実行する習慣が日々の動作に組み込まれることにより、電力を中心とした省エネルギー活動への習慣化が醸成できる。
【００１２】
通常のコンセントと一体化しているので、通常のコンセントと同様に構造物の壁面に取り付けられることから居住空間の美観を損ねず、ユーザーにとって違和感がない。待機電力遮断コンセント部は、文字、マーク、色調、高さの高低により通常コンセント部と識別し、また電気プラグの片方の刃をＬ字型とした異形プラグ刃、異なった幅のプラグ刃、円柱形プラグ刃、それぞれに対応した待機電力遮断コンセント部プラグ刃受穴で構成して、誤接続を完全に防止することができる。
【００１３】
待機電力遮断スイッチ部を通常のスイッチ部と文字、マーク、色調、開閉方向を異にすることで差別化することにより、スイッチ操作の誤操作を防ぐことができる。
【発明を実施するための最良の形態】
【００１４】
待機電力遮断部付コンセント１は通常のコンセントの機能を持つ、通常コンセント部２ｂと、待機電力を遮断する機能を持つ待機電力遮断コンセント部２ａからなる。使用各電気機器の電気プラグを、その性質を把握して、それぞれのコンセント部に差し込む（図１、図２）。
【００１５】
待機電力遮断部付コンセント１の背面には、電力線３をつなぐことができ、通常コンセント部２ｂからは従来どおりの通常配線５、待機電力遮断コンセント部２ａからは待機電力を遮断する機能を持つ待機電力遮断配線４へと配線される（図３、図４）。
【００１６】
部屋９は配電盤８を経由した配線により送電可能状態となっている。待機電力遮断部付コンセント１は部屋９の壁面または床面または天井面に取り付けられている。通常コンセント部２ｂからの電力線３は従来どおりの通常配線５の経路で配電盤８へ接続されており、また同様に、照明７は照明スイッチ６ｂを経由して配電盤８に接続されている。待機電力遮断コンセント部２ａの電力線３は待機電力遮断配線４により待機電力開閉スイッチ６ａを中継して配電盤８に接続されている。部屋９を使用しない時、待機電力開閉スイッチ６ａにより回路を遮断状態にし、待機電力を節電する。部屋９を使用する場合、待機電力開閉スイッチ６ａにより回路を通電状態にする。尚、部屋９を使用する場合でも、待機電力遮断コンセント部２ａに接続した電気機器を使用する必要のない場合は待機電力開閉スイッチ６ａにより回路を遮断状態にし、待機電力を節電することができる（図４）。
【００１７】
待機電力遮断部付コンセント１の待機電力遮断コンセント部２ａ、通常コンセント部２ｂは近接した位置に配設されるため、誤接続の可能性があり、このため待機電力遮断コンセント部２ａと通常コンセント部２ｂにマーク、文字、色調により、又はコンセント差込口の高低段差を図８の一点鎖線の如く設けることにより識別できるようにしても良い（図８）。
【００１８】
待機電力開閉スイッチ６ａと照明スイッチ６ｂを一体型とした待機電力照明開閉操作一体型スイッチ盤１２を構成する場合には、該待機電力開閉スイッチ６ａと該照明スイッチ６ｂをマーク、文字、色調により、又はスイッチの開閉方向を各々異なる方向にすることにより識別できるようにしても良い（図７）。
【００１９】
待機電力遮断用電気プラグ又は通常の電気プラグの待機電力遮断コンセント部２ａ、通常コンセント部２ｂへの誤接続を確実に防止するため通常の電気プラグの刃は平板形等幅であるのに対して待機電力用電気プラグ１９の２本の刃はその幅に差を設け（以下「異幅プラグ刃」という）、待機電力遮断コンセント部２ａの待機電力遮断コンセント部プラグ刃受穴１８を、前記異幅プラグ刃２０ａに対応させて受け口を合致させた異幅プラグ刃受穴１８ａとして誤接続を防ぐ（図９）。
【００２０】
又は、待機電力遮断用電気プラグ１９の２本の刃の一方をＬ字型とした異形プラグ刃２０ｂ、それに対応した異形プラグ刃受穴１８ｂ、２枚の刃を円柱形状にした円柱形プラグ刃２０ｃとそれに対応した円柱形プラグ刃受穴１８ｃより構成される待機電力遮断部付コンセント１及び電気プラグ１９により誤接続を完全に防止する（図１０、図１１）。
【００２１】
待機電力開閉スイッチ６ａと照明スイッチ６ｂを独立して配設する場合、近接した位置に設置されることが多く、このため両方のスイッチの区別が困難な場合は、マーク、文字、色調により、又はスイッチの開閉方向を各々異なる方向にすることにより識別できるようにしても良い。
【実施例１】
【００２２】
電気機器に対し待機電力の必要性を予め考慮し、それぞれの電気プラグを待機電力遮断部付コンセント１の通常コンセント部２ｂと待機電力遮断コンセント部２ａのどちらかに差し込む。部屋を使用しない時には通電が必要しない可能性の高い携帯電話充電器１０ａ、テレビ１０ｂ、プリンター１０ｅ、パソコン１０ｆの電気プラグは待機電力遮断コンセント部２ａに差し込み、また、部屋を使用しない時でも通電が必要とする可能性の高い、録画機器１０ｃ、衛星放送受信チューナー１０ｄ、固定電話１０ｇ、モデム１０ｈの電気プラグは通常コンセント部２ｂに差し込んだ。部屋を使用しない時は、待機電力開閉スイッチ６ａにより回路を遮断状態にし、待機電力遮断コンセント部２ａに接続した電気機器の待機電力を節電した。エアコン１１のように負荷電力が高く、配線が別に規定されているようなものがあれば、待機電力開閉スイッチ６ａを複数用意した。習慣付け易くするため待機電力開閉スイッチ６ａの付設位置は、部屋の入り口近辺に敷設されている照明スイッチ６ｂの近くに配設し、また、待機電力開閉スイッチ６ａのスイッチタイプは照明スイッチ６ｂと混同しないために、それぞれが別タイプのスイッチを用いた（図５）。
【実施例２】
【００２３】
一定規模のオフィスになるとたくさんの電気機器を使用することが多いが、オフィスには電話６台（内１台は集中電話）、パソコン６台（内１台はマスターマシン）、サーバ１台、プリンター１台、ファックス機能付きコピー機１台がある場合、常に電力を必要とする、集中電話１３、マスターパソコン１４、サーバ１５、ファックス機能付きコピー機１６は、通常コンセント部２ｂに電気プラグを接続しており、部屋が不使用時には通電の必要のない電話１３ａ〜電話１３ｅ、パソコン１４ａ〜１４ｅ、プリンター１７は待機電力遮断コンセント部２ａに電気プラグを接続した。勤務終了後、オフィスの最終退出者はオフィスの出入り口近辺に取り付けられた待機電力開閉スイッチ６ａにより回路を遮断状態にし、待機電力遮断部コンセント２ａに接続された電気機器の待機電力を節電した。勤務開始前、オフィスへの最初の入室者は待機電力開閉スイッチ６ａにより回路を通電状態にした（図６）。
【産業上の利用可能性】
【００２４】
本発明は、今後新築、増改築する家やマンション・オフィスビル・工場に本発明を使用することは建造物単位での節電になることから、省エネルギーの寄与度は相当大きいと考えられる。参考値として、日本では年間平均１２０万件以上の新規住宅施工が発生しており、新規住宅に対する当発明の採用状況によっては、相当量の省エネルギー効果があるものと考えられる。
【図面の簡単な説明】
【００２５】
【図１】待機電力遮断部付コンセントの正面図
【図２】待機電力遮断部付コンセントの側面図
【図３】待機電力遮断部付コンセントおよび配線の一部を表した斜視図
【図４】本発明の配線図
【図５】本発明の部屋での使用例
【図６】本発明のオフィスでの使用例
【図７】待機電力照明開閉操作一体型スイッチ盤
【図８】待機電力遮断コンセントと通常コンセントを凹凸により識別した状態図
【図９】異幅プラグ刃及び異幅プラグ刃受穴正面図及び斜視図
【図１０】異形プラグ刃及び異形プラグ刃受穴正面図及び斜視図
【図１１】円柱形プラグ刃及び円柱形プラグ刃受穴正面図及び斜視図
【符号の説明】
【００２６】
１    待機電力遮断部付コンセント
２ａ  待機電力遮断コンセント部
２ｂ  通常コンセント部
３    電力線
４    待機電力遮断配線
５    通常配線
６ａ  待機電力開閉スイッチ
６ｂ  照明スイッチ
７    照明
８    配電盤
９    部屋
１０ａ  携帯電話充電器    
１０ｂ  テレビ
１０ｃ  録画機器
１０ｄ  衛星放送受信チューナー
１０ｅ  プリンター
１０ｆ  パソコン
１０ｇ  固定電話
１０ｈ  モデム
１１    エアコン
１２    待機電力照明開閉操作一体型スイッチ盤
１３    集中電話
１３ａ  電話
１３ｂ  電話
１３ｃ  電話
１３ｄ  電話
１３ｅ  電話
１４    マスターパソコン
１４ａ  パソコン
１４ｂ  パソコン
１４ｃ  パソコン
１４ｄ  パソコン
１４ｅ  パソコン
１５    サーバ
１６    ファックス機能付きコピー機
１７    プリンター
１８    待機電力遮断コンセント部プラグ刃受穴
１８ａ  異幅プラグ刃受穴
１８ｂ  異形プラグ刃受穴
１８ｃ  円柱形プラグ刃受穴
１９    電気プラグ
２０ａ  異幅プラグ刃
２０ｂ  異形プラグ刃
２０ｃ  円柱形プラグ刃
【図１】
2006020488.tif 000003
【図２】
2006020488.tif 000004
【図３】
2006020488.tif 000005
【図４】
2006020488.tif 000006
【図５】
2006020488.tif 000007
【図６】
2006020488.tif 000008
【図７】
2006020488.tif 000009
【図８】
2006020488.tif 000010
【図９】
2006020488.tif 000011
【図１０】
2006020488.tif 000012
【図１１】
2006020488.tif 000013